(57)【要約】【課題】軒樋へのゴミの浸入を防ぎつつも、軒樋に効率よく雨水を案内し、屋根からの落雪による軒樋の破損を防止する軒樋保護部材および軒樋保護構造を提供する。【解決手段】建物の傾斜した屋根部２１から落ちる雪塊から軒樋２８を保護する軒樋保護部材２９Ａであって、本発明の軒樋保護部材２９Ａは、屋根部２１に固定される取付板部３０と、取付板部３０の軒先側端縁から延びかつ屋根部２１の上面に屋根部２１に沿って配設される傾斜板部３１と、傾斜板部３１の軒先側端縁から延びかつ下側から建物側に戻るように湾曲した断面略円弧形状の湾曲部３２とによって構成され、傾斜板部３１と湾曲部３２とが軒樋２８の上部をほぼ覆いかつ湾曲部３２の下端部が軒樋２８の軒先側端部より建物側に位置し、湾曲部３２の軒先側端部が軒樋２８の軒先側端部よりも僅かに建物側に位置しかつ軒樋２８の軒先側端部と湾曲部３２の軒先側表面とが近接するように屋根部２１に固定される。【選択図】図４
2009084904.tif 000002
【特許請求の範囲】
【請求項１】
建物の傾斜した屋根から落ちる雪塊から軒樋を保護する軒樋保護部材であって、
前記屋根に固定される取付部と、
前記取付部の軒先側端縁から延びかつ前記屋根の上面に該屋根に沿って配設される傾斜板部と、
前記傾斜板部の軒先側端縁から延びかつ下側から前記建物側に戻るように湾曲した断面略円弧形状の湾曲部と、
によって構成され、
前記傾斜板部と前記湾曲部とが前記軒樋の上部をほぼ覆いかつ前記湾曲部の下端部が前記軒樋の軒先側端部より前記建物側に位置し、
前記湾曲部の軒先側端部が前記軒樋の軒先側端部よりも僅かに前記建物側に位置しかつ前記軒樋の軒先側端部と前記湾曲部の軒先側表面とが近接するように前記屋根に固定されることを特徴とする軒樋保護部材。
【請求項２】
建物の傾斜した屋根から落ちる雪塊から軒樋を保護する軒樋保護構造であって、
前記屋根に固定される取付部と、
前記取付部の軒先側端縁から延びかつ前記屋根の上面に該屋根に沿って配設される傾斜板部と、
前記傾斜板部の軒先側端縁から延びかつ下側から前記建物側に戻るように湾曲した断面略円弧形状の湾曲部と、
によって構成され、
前記傾斜板部と前記湾曲部とが前記軒樋の上部をほぼ覆いかつ前記湾曲部の下端部が前記軒樋の軒先側端部より前記建物側に位置し、
前記湾曲部の軒先側端部が前記軒樋の軒先側端部よりも僅かに前記建物側に位置しかつ前記軒樋の軒先側端部と前記湾曲部の軒先側表面とが近接するように前記屋根に固定されることを特徴とする軒樋保護構造。
【発明の詳細な説明】
【技術分野】
【０００１】
本発明は、屋根から落ちる雪塊から軒樋を保護する軒樋保護部材および軒樋保護構造に関する。
【背景技術】
【０００２】
従来から、屋根から落ちる雪塊から軒樋を保護する軒樋保護部材および軒樋保護構造が知られている（例えば、特許文献１参照）。
【０００３】
図１において、符号１は建物の屋根部であり、屋根部１は建物の柱や梁などに固定された垂木２と、垂木２の上部に敷設された野地板３と、野地板３の上面に敷設された防水シート４と、防水シート４の上部に敷設されたスレート５とによって構成されている。
【０００４】
垂木２の軒先側端部は鼻隠し部６によって覆われており、鼻隠し部６の下端部と軒桁（図示省略）との間には軒天井部７が設けられている。
【０００５】
鼻隠し部６の軒先側には、屋根部１に降り注いだ雨や屋根部１に積もった雪の雪解け水を呼び樋（図示省略）に案内する軒樋８が設けられている。
【０００６】
図１において、符号９は本従来例の軒樋保護部材であり、軒樋保護部材９は鋼板を折り曲げ加工することにより形成されており、この鋼板の表面は雪の滑落がスムーズになるように滑らかな表面に加工されている。
【０００７】
軒樋保護部材９は、取付部１０と、軒先プレート部１１と、段差部１２と、保護プレート部１３とによって構成されている。
【０００８】
取付部１０は、野地板３とスレート５との間に防水シート４を介して挟持されており、スレート５と共に野地板３に固定されている。
【０００９】
軒先プレート部１１は、取付部１０の軒先側端縁から軒先側に向かって延びており、野地板３の軒先部上面に防水シート４を介して載置されている。
【００１０】
段差部１２は、軒先プレート部１１の軒先側端縁から野地板３の軒先側端面に沿って略下方に向かって延びており、野地板３の軒先側端面を覆っている。
【００１１】
保護プレート部１３は、段差部１２の下端縁から軒先側に向かって延び、軒先プレート部１１よりも下方に向かってやや急勾配に傾斜してており、保護プレート部１３の先端部は、建物側に向けて下側に折り返されている。
【００１２】
屋根部１に降り注いだ雨や屋根部１に積もった雪の雪解け水は、屋根部１の上を軒先部に向かって流れ、軒先プレート部１１の上面を通って保護プレート部１３の先端部から流れ落ち、この先端部の略下方に位置する軒樋８に導かれる。
【００１３】
そして、軒樋８に導かれた雨水や雪解け水は、軒樋８から呼び樋（図示省略）、竪樋（図示省略）へと案内されて排水口などから排水される。
【００１４】
また、積雪時に屋根部１に積もった雪は、屋根部１に沿って徐々に下方に移動して屋根部１の軒先部に達し、表面が滑らかな軒先プレート部１１の上面をスムーズに滑って保護プレート部１３に導かれ、保護プレート部１３により案内されて、軒樋８を避けるようにして、軒樋８の軒先側端部より軒先側に落とされる。
【特許文献１】特開２０００−２４８７０１号公報
【発明の開示】
【発明が解決しようとする課題】
【００１５】
ところで、図２（ａ）に示すように、屋根部１に雪Ｓが積もり、例えば、夜になって気温が下がると、居住部上部に積もった雪Ｓが融けていたとしても、屋根部１の軒先部分には建物の居住部からの熱が伝わりにくいために、軒先部分に積もった雪Ｓが融けずに残り、この軒先部分に積もった雪Ｓが凍りついてしまうことがある。
【００１６】
従来例の軒樋保護部材９では、図２（ｂ）に示すように、軒先部分で凍っている雪塊Ｆが屋根部１を滑り落ちると、屋根部１の比較的上方から滑り落ちる雪に比べて雪塊Ｆが滑り落ちる速度が遅いために、保護プレート部１３からほぼ真下に落下して、軒樋８に接触し、軒樋８を破損してしまうおそれがあった。
【００１７】
また、従来例の軒樋保護部材９では、図２（ｃ）に示すように、降雨時の雨量が多いときには、保護プレート部１３によって、大方の雨水が軒樋８の外にはじき出されて、軒樋８の外にこぼれてしまうという問題があった。
【００１８】
さらに、従来例の軒樋保護部材９では、図１に示すように、軒樋８の上部が雨水や雪解け水を受け入れるために開放しているので、木の葉などのゴミが風に運ばれて軒樋８に浸入し、このゴミが排水と共に運ばれて排水口などを詰まらせてしまうという問題があった。
【００１９】
そこで、本発明では、軒樋へのゴミの浸入を防ぎつつも、軒樋に効率よく雨水を案内し、屋根からの落雪による軒樋の破損を防止する軒樋保護部材および軒樋保護構造を提供することを目的としている。
【課題を解決するための手段】
【００２０】
上記目的を達成するために請求項１に記載された発明は、建物の傾斜した屋根から落ちる雪塊から軒樋を保護する軒樋保護部材であって、前記屋根に固定される取付部と、前記取付部の軒先側端縁から延びかつ前記屋根の上面に該屋根に沿って配設される傾斜板部と、前記傾斜板部の軒先側端縁から延びかつ下側から前記建物側に戻るように湾曲した断面略円弧形状の湾曲部と、によって構成され、前記傾斜板部と前記湾曲部とが前記軒樋の上部をほぼ覆いかつ前記湾曲部の下端部が前記軒樋の軒先側端部より前記建物側に位置し、前記湾曲部の軒先側端部が前記軒樋の軒先側端部よりも僅かに前記建物側に位置しかつ前記軒樋の軒先側端部と前記湾曲部の軒先側表面とが近接するように前記屋根に固定される軒樋保護部材を特徴としている。
【００２１】
そして、請求項２に記載された発明は、建物の傾斜した屋根から落ちる雪塊から軒樋を保護する軒樋保護構造であって、前記屋根に固定される取付部と、前記取付部の軒先側端縁から延びかつ前記屋根の上面に該屋根に沿って配設される傾斜板部と、前記傾斜板部の軒先側端縁から延びかつ下側から前記建物側に戻るように湾曲した断面略円弧形状の湾曲部と、によって構成され、前記傾斜板部と前記湾曲部とが前記軒樋の上部をほぼ覆いかつ前記湾曲部の下端部が前記軒樋の軒先側端部より前記建物側に位置し、前記湾曲部の軒先側端部が前記軒樋の軒先側端部よりも僅かに前記建物側に位置しかつ前記軒樋の軒先側端部と前記湾曲部の軒先側表面とが近接するように前記屋根に固定される軒樋保護構造を特徴としている。
【発明の効果】
【００２２】
このように構成された本発明の請求項１または請求項２に記載されたものは、傾斜板部と湾曲部とが軒樋の上部をほぼ覆っているので、雪塊や氷塊が屋根部から滑り落ちる際に、屋根部から滑り落ちてきた雪塊や氷塊が、傾斜板部の表面と湾曲部の表面とを滑り、軒樋と接触することなく軒樋の軒先側に落ちるので、屋根部から滑り落ちた雪塊や氷塊によって、軒樋が破損することがない。
【００２３】
また、湾曲部の下端部が軒樋の軒先側端部より建物側に位置しているので、本発明の軒樋保護部材に流れ込んだ雨水や雪解け水は、湾曲部の上部表面を軒先側に向かって流れ落ち、コアンダ効果により湾曲部の表面に沿って流れ、湾曲部の下端部から軒樋の内部に流れ落ちて、呼び樋や竪樋などを介してスムーズに排水される。
【００２４】
なお、コアンダ効果とは、凸状体の表面近傍に沿って流れる流体が、凸状体の表面と流体との間に生じる負圧により凸状体の表面に引き寄せられる効果であり、流体の流速が速いほど、流体が凸状体の表面に引き寄せられる効果が大きいことが知られている。
【００２５】
そして、湾曲部の軒先側端部が軒樋の軒先側端部よりも僅かに建物側に位置しているので、雨量が少なくコアンダ効果による湾曲部表面への水の引き寄せ効果が小さいときであっても、湾曲部の表面に沿って流れ込む雨水や雪解け水が、軒樋の外にこぼれることなく、軒樋の内部に効率よく案内される。
【００２６】
さらに、傾斜板部と湾曲部とが軒樋の上部をほぼ覆っており、しかも軒樋の軒先側端部と湾曲部の軒先側表面とが近接しているので、木の葉などのゴミが軒樋に浸入するのを防止することができ、排水口などのゴミ詰まりを回避できるだけでなく、樋や排水口などのメンテナンスの頻度を少なくすることができる。
【発明を実施するための最良の形態】
【００２７】
以下、本発明に係る実施の形態を実施例に基づいて説明する。
【実施例】
【００２８】
〈構成〉
図４において、符号２１は建物の屋根部であり、屋根部２１は、建物の柱や梁などに固定された垂木２２と、垂木２２の上部に敷設された野地板２３と、野地板２３の上面側に敷設された防水シート２４と、防水シート２４の上に敷設されたスレート２５とによって構成されている。
【００２９】
垂木２２の軒先側端部は鼻隠し部２６によって覆われており、鼻隠し部２６と軒桁（図示省略）との間には軒天井部２７が設けられている。
【００３０】
鼻隠し部２６の軒先側には、屋根部２１に降り注いだ雨水や屋根部２１に積もった雪の雪解け水を呼び樋に案内する軒樋２８が設けられている。
【００３１】
図３または図４において、符号２９Ａは本実施例の軒樋保護部材であり、アルミニウム材から押出成形することにより形成されている。なお、アルミニウム板を曲げ加工することも可能である。
【００３２】
図５または図６に示すように、軒樋保護部材２９Ａは、取付板部３０と、傾斜板部３１と、湾曲部３２と、案内板部３３とによって構成されている。
【００３３】
取付板部３０は、図４に示す野地板２３とスレート２５との間に防水シート２４を介して挟持されており、スレート２５と共に野地板２３に固定されている。
【００３４】
傾斜板部３１は、取付板部３０の軒先側端縁から軒先側に向かって延びており、図４に示すように、野地板２３の軒先部上面に防水シート２４を介して載置されている。
【００３５】
軒樋保護部材２９Ａを屋根部２１に取り付ける際には、傾斜板部３１と湾曲部３２とが軒樋２８の上部をほぼ覆うようにし、湾曲部３２の下端部を軒樋２８の軒先側端部より建物側に位置させる。
【００３６】
さらに、湾曲部３２の軒先側端部を軒樋２８の軒先側端部よりも僅かに建物側に位置させ、軒樋２８の軒先側端部と湾曲部３２の軒先側表面とが近接するように位置を調整して、軒樋保護部材２９Ａを屋根部２１に取り付ける。
【００３７】
本実施例に係る傾斜板部３１の上側表面には、傾斜板部３１の表面に付着した水が氷結しにくくなるように、多数の細孔（細孔の直径はμｍ（ミクロン）のオーダー）が形成されている。なお、これらの細孔に吸着された水は、水の表面張力により、氷点が降下することが知られている。
【００３８】
図６に示すように、湾曲部３２は、傾斜板部３１の軒先側端縁から軒先側に向かって延び、下側から建物側に戻るように湾曲しており、断面が中心角約１２０°の略円弧形状を呈している。本実施例に係る湾曲部３２の曲率半径Ｒは１０〜２０ｍｍ程度としている。
【００３９】
この曲率半径Ｒは、標準的な建物の軒先部について、実験的に導き出されたものであり、雨水や雪解け水が、コアンダ効果によって、最も効率よく湾曲部３２の下端部に導かれるための曲率半径となっている。
【００４０】
なお、コアンダ効果とは、凸状体の表面近傍に沿って流れる流体が、凸状体の表面と流体との間に生じる負圧により凸状体の表面に引き寄せられる効果であり、従来から公知とされる現象である。
【００４１】
案内板部３３は、湾曲部３２の下端縁から建物に向かって延びる平板部３３ａと、平板部３３ａの下端縁から鉛直下方に向かって延びるフランジ部３３ｂとによって構成されている。
【００４２】
〈作用効果〉
図７（ａ）に示すように、屋根部２１に雪Ｓが積もり、例えば、夜になって気温が下がると、建物の居住部上部の屋根部２１には居住部からの熱が伝わるが、屋根部２１の軒先部分には建物の居住部からの熱が伝わりにくいために、居住部上部に積もった雪Ｓが融けたとしても、軒先部分に積もった雪Ｓは融けずに残り、この軒先部分に積もった雪Ｓが凍りついてしまうことがある。
【００４３】
例えば、このように形成された雪塊Ｆが、図７（ｂ）に示すように、屋根部２１から滑り落ちる際に、本実施例の軒樋保護部材２９Ａは傾斜板部３１と湾曲部３２とが軒樋２８の上部をほぼ覆っているので、屋根部２１から滑り落ちてきた雪塊Ｆが、傾斜板部３１の表面と湾曲部３２の表面とを滑り、軒樋２８と接触することなく軒樋２８の軒先側に落ちるので、屋根部２１から滑り落ちた雪塊Ｆによって、軒樋２８が破損することはない。
【００４４】
また、図７（ｃ）に示すように、本実施例の軒樋保護部材２９Ａに流れ込んだ雨水や雪解け水は、湾曲部３２の上部表面を軒先側に向かって流れ落ち、コアンダ効果により湾曲部３２の表面に沿って流れ、湾曲部３２の下端部から軒樋２８の内部に流れ落ちて、呼び樋や竪樋などを介してスムーズに排水される。
【００４５】
なお、コアンダ効果とは、凸状体の表面近傍に沿って流れる流体が、凸状体の表面と流体との間に生じる負圧により凸状体の表面に引き寄せられる効果であり、流体の流速が速いほど、流体が凸状体の表面に引き寄せられる効果が大きいことが知られている。
【００４６】
そして、図７（ｃ）に示すように、湾曲部３２の軒先側端部が軒樋２８の軒先側端部よりも僅かに建物側に位置しているので、雨量が少なくコアンダ効果による水の引き寄せ効果が小さいときであっても、湾曲部３２の表面に沿って流れ込む雨水や雪解け水が、軒樋２８の外にこぼれることなく、軒樋２８の内部に効率よく案内される。
【００４７】
さらに、傾斜板部３１と湾曲部３２とが軒樋２８の上部をほぼ覆っており、しかも軒樋２８の軒先側端部と湾曲部３２の軒先側表面とが近接しているので、木の葉などのゴミが軒樋２８に浸入するだけの隙間がなく、木の葉などのゴミが軒樋２８に浸入するのを防止することができ、排水口などのゴミ詰まりを回避できるだけでなく、樋や排水口などのメンテナンスの頻度を少なくすることができる。
【００４８】
また、本実施例の軒樋保護部材２９Ａは、アルミニウム板を曲げ加工することにより形成された一体形成品であるので製造が容易である。
【００４９】
さらに、本実施例の軒樋保護部材２９Ａの取り付けは、取付板部３０を野地板２３とスレート２５との間に挟持して、スレート２５と共に野地板２３に固定するだけなので容易に取り付けができる。
【００５０】
しかも、本実施例に係る傾斜板部３１の上側表面には、多数の細孔が形成されており、傾斜板部３１の表面に付着した水の氷点が降下して氷結しにくくなるので、屋根部２１の軒先側端部での水の氷結が防止され、屋根部２１の上部の積雪をスムーズに滑落させることができる。
【００５１】
なお、細孔の直径はμｍ（ミクロン）のオーダーであり、これらの細孔に吸着された水は、水の表面張力により、氷点が降下することが知られている。
【００５２】
以上、図面を参照して、本発明の最良の実施の形態を詳述してきたが、具体的な構成は、この実施の形態に限らず本発明の要旨を逸脱しない程度の設計的変更は本発明に含まれる。
【図面の簡単な説明】
【００５３】
【図１】従来例に係る建物の軒先部の断面図である。
【図２】従来例に係る建物の軒先部の断面図であり、従来例の軒樋保護部材の問題点を説明するための図である。（ａ）は屋根部の軒先部分に雪が積もった状態を示し、（ｂ）は積雪の塊が、ほぼ真下に落下して軒樋を破損してしまう様子を示しており、（ｃ）は降雨時の雨量が多いときに、軒樋保護部材の保護プレート部によって大方の雨水がはじき出されて、軒樋の外にこぼれてしまう様子を示している。
【図３】本発明に係る建物の軒先部の部分破断斜視図である。
【図４】実施例に係る建物の軒先部を図３のＡ矢視方向から見た断面図である。
【図５】実施例に係る軒先カバー部材の斜視図であり、（a）は軒先側から見た図、（ｂ）は建物側から見た図である。
【図６】実施例に係る軒先カバー部材の断面図である。
【図７】実施例に係る建物の軒先部の断面図であり、実施例の軒樋保護部材の作用効果を説明するための断面図である。（ａ）は屋根部の軒先部分に雪が積もった状態を示し、（ｂ）は積雪の塊が、軒樋の軒先側に落下する様子を示しており、（ｃ）は降雨時の雨量が多いときに、軒樋保護部材の湾曲部によるコアンダ効果よって、雨水が軒樋に案内されている様子を示している。
【符号の説明】
【００５４】
２１                    屋根部（屋根）
２８                    軒樋
２９Ａ，２９Ｂ，２９Ｃ          軒樋保護部材
３０                    取付板部（取付部）
３１                    傾斜板部
３２                    湾曲部
Ｆ                      雪塊
【図１】
2009084904.tif 000003
【図２】
2009084904.tif 000004
【図３】
2009084904.tif 000005
【図４】
2009084904.tif 000006
【図５】
2009084904.tif 000007
【図６】
2009084904.tif 000008
【図７】
2009084904.tif 000009